(57)【要約】【課題】受信メールの秘匿性を担保しつつ複数の利用者による共同利用を実現する。【解決手段】携帯型情報端末（１０）は、複数の共同利用者の各々の氏名に関する氏名情報及び該氏名情報に対応付けられた前記各々を識別するための識別情報を含んでなる利用者登録情報を記憶する記憶手段（４００）と、前記識別情報を入力可能な入力手段（３００）と、前記氏名情報を含む前記メールが受信された場合に前記識別情報の入力を要求する要求手段（１３０）と、前記記憶された利用者登録情報に含まれる前記識別情報のうち前記受信されたメールに含まれる氏名情報に対応する識別情報と、前記要求に応じて入力された識別情報とが一致するか否かを判定する判定手段（１７０）と、前記受信識別情報と前記受信時入力識別情報とが一致すると判定された場合に前記受信されたメールの閲覧を許可する許可手段（１４０）とを具備する。【選択図】図１６
2014203254.tif 000002
【特許請求の範囲】
【請求項１】
メールの送受信機能を有する携帯型情報端末であって、
複数の共同利用者の各々の氏名に関する氏名情報及び該氏名情報に対応付けられた前記各々を識別するための識別情報を含んでなる利用者登録情報を記憶する記憶手段と、
前記識別情報を入力可能な入力手段と、
前記氏名情報を含む前記メールが受信された場合に受信時入力要求として前記識別情報の入力を要求する要求手段と、
前記記憶された利用者登録情報に含まれる前記識別情報のうち前記受信されたメールに含まれる氏名情報に対応する受信識別情報と、前記受信時入力要求に応じて入力された受信時入力識別情報とが一致するか否かを判定する判定手段と、
前記受信識別情報と前記受信時入力識別情報とが一致すると判定された場合に前記受信されたメールの閲覧を許可する許可手段と
を具備することを特徴とする携帯型情報端末。
【請求項２】
前記識別情報は、生体認証情報である
ことを特徴とする請求項１に記載の携帯型情報端末。
【請求項３】
前記氏名情報を含むメールにおいて、前記氏名情報は、メールの件名又はメールアドレスに付帯される
ことを特徴とする請求項１又は２に記載の携帯型情報端末。
【請求項４】
前記メールの着信音が、前記各々について個別に設定される
ことを特徴とする請求項１から３のいずれか一項に記載の携帯型情報端末。
【請求項５】
前記メールの表示内容又は表示方法が、前記各々について個別に設定される
ことを特徴とする請求項１から４のいずれか一項に記載の携帯型情報端末。
【請求項６】
前記氏名情報を含むメールが受信された場合にのみメールの着信が告知される
ことを特徴とする請求項１から５のいずれか一項に記載の携帯型情報端末。
【請求項７】
前記要求手段は、前記メールが送信される場合に送信時入力要求として前記識別情報の入力を要求し、
前記判定手段は、前記記憶された利用者登録情報に含まれる前記識別情報の中に前記送信時入力要求に応じて入力された送信時入力識別情報と一致する識別情報があるか否かを判定し、
前記携帯型情報端末は、
前記記憶された利用者登録情報に含まれる識別情報の中に前記送信時入力識別情報と一致する識別情報があると判定された場合に、前記送信されるメールに前記送信時入力識別情報と一致する識別情報に対応する前記氏名情報を付加する付加手段を更に具備する
ことを特徴とする請求項１から６のいずれか一項に記載の携帯型情報端末。
【請求項８】
複数の共同利用者の各々の氏名に関する氏名情報及び該氏名情報に対応付けられた前記各々を識別するための識別情報を含んでなる利用者登録情報を記憶する記憶手段と、前記識別情報を入力可能な入力手段と備えると共にメールの送受信機能を有する携帯型情報端末における、前記メールの処理方法であって、
前記氏名情報を含む前記メールが受信された場合に受信時入力要求として前記識別情報の入力が要求される要求工程と、
前記記憶された利用者登録情報に含まれる前記識別情報のうち前記受信されたメールに含まれる氏名情報に対応する受信識別情報と、前記受信時入力要求に応じて入力された受信時入力識別情報とが一致するか否かが判定される判定工程と、
前記受信識別情報と前記受信時入力識別情報とが一致すると判定された場合に前記受信されたメールの閲覧が許可される許可工程と
を具備することを特徴とするメール処理方法。
【請求項９】
コンピュータシステムを請求項１に記載の要求手段、判定手段及び許可手段として機能させることを特徴とするコンピュータプログラム。
【請求項１０】
請求項９に記載のコンピュータプログラムが記録されることを特徴とする記録媒体。
【発明の詳細な説明】
【技術分野】
【０００１】
本発明は、例えば携帯電話機等、メールの送受信機能を有する携帯型情報端末の技術分野に関する。
【背景技術】
【０００２】
この種の技術分野において、セキュリティ性を高めた電話システムが提案されている（例えば、特許文献１参照）。
【０００３】
特許文献１に開示された電話システムによれば、機体表面に配設された指紋検出部により指紋が読み取られ、予め登録された本人の指紋と照合される。そして、この照合の結果、読み取られた指紋が本人のものと確認された場合に、通常の通話と異なる特殊な機能が実行される。このため、暗証番号のみによる使用者認識よりも盗用され難い安全な使用が可能になるとされている。
【先行技術文献】
【特許文献】
【０００４】
【特許文献１】特開２００２−３４０７５号公報
【発明の概要】
【発明が解決しようとする課題】
【０００５】
例えば業務上の理由等により、個人所有のものとは異なる携帯型情報端末を使用する場合がある。この場合、一の携帯型情報端末が不特定多数の共同利用者による共同利用に供される。また、携帯型情報端末を家庭用電話機として代替利用する場合、一の携帯型情報端末が複数の共同利用者による共同利用に供される。
【０００６】
ところで、携帯型情報端末におけるメールの送受信に必要となるメールアドレス或いは電話番号は、通常、一の端末について一つである。従って、一の携帯型情報端末が複数の利用者により共同利用される場合、受信されたメールが特定の利用者に宛てたメールであっても、このメールは容易に他の利用者により閲覧され得る。従来、意図的又は偶発的に生じ得るこの種の所謂「盗み見」の防止については、利用者各々のモラルに頼る部分が非常に大きかった。即ち、従来の装置には、携帯型情報端末を複数の共同利用者で共同利用する場合において、メールの秘匿性を担保することが非常に困難であるという技術的問題点がある。
【０００７】
ここで特に、特許文献１に記載された電話システムは、他人による端末の不正利用を防止する観点に立ったものであり、複数の利用者を想定していない。従って、複数の利用者により一の携帯型情報端末を共同利用した場合に生じる上述した技術的問題に対し、特許文献１に記載された電話システムは有効な解決策を与えない。例えば、特許文献１に記載された電話システムを複数の利用者で利用するために、例えば複数の利用者の指紋情報を予め登録する場合、着信したメールは結局、その時点で端末を使用している利用者によって容易に閲覧されてしまうのである。
【０００８】
本発明は、例えば、上記技術的問題点をその解決すべき問題点の少なくとも一つとして有するものであって、受信されるメールの秘匿性を担保しつつ複数の利用者による共同利用を実現し得る携帯型情報端末を提供することを、その課題の少なくとも一つとする。
【課題を解決するための手段】
【０００９】
上述した課題を解決するため、請求項１の携帯型情報端末は、メールの送受信機能を有する携帯型情報端末であって、複数の共同利用者の各々の氏名に関する氏名情報及び該氏名情報に対応付けられた前記各々を識別するための識別情報を含んでなる利用者登録情報を記憶する記憶手段と、前記識別情報を入力可能な入力手段と、前記氏名情報を含む前記メールが受信された場合に受信時入力要求として前記識別情報の入力を要求する要求手段と、前記記憶された利用者登録情報に含まれる前記識別情報のうち前記受信されたメールに含まれる氏名情報に対応する受信識別情報と、前記受信時入力要求に応じて入力された受信時入力識別情報とが一致するか否かを判定する判定手段と、前記受信識別情報と前記受信時入力識別情報とが一致すると判定された場合に前記受信されたメールの閲覧を許可する許可手段とを具備することを特徴とする。
【００１０】
上述した課題を解決するため、請求項８のメール処理方法は、複数の共同利用者の各々の氏名に関する氏名情報及び該氏名情報に対応付けられた前記各々を識別するための識別情報を含んでなる利用者登録情報を記憶する記憶手段と、前記識別情報を入力可能な入力手段と備えると共にメールの送受信機能を有する携帯型情報端末における、前記メールの処理方法であって、前記氏名情報を含む前記メールが受信された場合に受信時入力要求として前記識別情報の入力が要求される要求工程と、前記記憶された利用者登録情報に含まれる前記識別情報のうち前記受信されたメールに含まれる氏名情報に対応する受信識別情報と、前記受信時入力要求に応じて入力された受信時入力識別情報とが一致するか否かが判定される判定工程と、前記受信識別情報と前記受信時入力識別情報とが一致すると判定された場合に前記受信されたメールの閲覧が許可される許可工程とを具備することを特徴とする。
【００１１】
上述した課題を解決するため、請求項９のコンピュータプログラムは、コンピュータシステムを請求項１に記載された要求手段、判定手段及び許可手段として機能させることを特徴とする。
【００１２】
上述した課題を解決するため、請求項１０の記録媒体は、請求項９に記載されたコンピュータプログラムが記録されることを特徴とする。
【図面の簡単な説明】
【００１３】
【図１】本発明の一実施例に係る携帯電話機の概略外観図である。
【図２】図１の携帯電話機のブロック図である。
【図３】図１の携帯電話機に置いて実行される基本動作制御処理のフローチャートである。
【図４】図３の基本動作制御処理における待機時制御のフローチャートである。
【図５】メインメニュ画面の概略図である。
【図６】共同利用者登録処理のフローチャートである。
【図７】共同利用者登録画面の概略図である。
【図８】氏名情報及び識別情報の入力が完了した状態における共同利用者登録画面を例示する図である。
【図９】動作モード切り替え処理のフローチャートである。
【図１０】動作モード切り替え画面の概略図である。
【図１１】着信音設定処理のフローチャートである。
【図１２】メール送信処理のフローチャートである。
【図１３】メール作成画面の概略図である。
【図１４】送信先の氏名情報がアドレス及び件名に付与されたメール作成画面を例示する図である。
【図１５】受信ＢＯＸ処理のフローチャートである。
【図１６】新着メール受信処理のフローチャートである。
【図１７】起動時制御のフローチャートである。
【発明を実施するための形態】
【００１４】
＜携帯型情報端末の実施形態＞
【００１５】
本発明の携帯型情報端末に係る実施形態は、メールの送受信機能を有する携帯型情報端末であって、複数の共同利用者の各々の氏名に関する氏名情報及び該氏名情報に対応付けられた前記各々を識別するための識別情報を含んでなる利用者登録情報を記憶する記憶手段と、前記識別情報を入力可能な入力手段と、前記氏名情報を含む前記メールが受信された場合に受信時入力要求として前記識別情報の入力を要求する要求手段と、前記記憶された利用者登録情報に含まれる前記識別情報のうち前記受信されたメールに含まれる氏名情報に対応する受信識別情報と、前記受信時入力要求に応じて入力された受信時入力識別情報とが一致するか否かを判定する判定手段と、前記受信識別情報と前記受信時入力識別情報とが一致すると判定された場合に前記受信されたメールの閲覧を許可する許可手段とを具備する（請求項１）。
【００１６】
携帯型情報端末の実施形態は、複数の共同利用者に共同利用される。この複数の共同利用者に関する情報は、利用者登録情報として記憶手段に記憶される。利用者登録情報には、氏名情報及び識別情報が含まれる。
【００１７】
氏名情報とは、共同利用者の各々の氏名に関する情報であるが、利用者の名字と名前とを含む所謂氏名のみに限定されない。即ち、氏名情報とは、共同利用者の各々を識別可能であればどのように表現されたものであってもよい。例えば、氏名情報は、通称、ニックネーム或いはＩＤ等であってもよいし、名字に役職名称や所属部署を付帯させたものであってもよい。更に極端には、氏名情報とは、氏名との対応関係が定義される限りにおいて、単なる記号や英数字が配列したものであってもよい。
【００１８】
識別情報とは、この氏名情報に対応付けられた、共同利用者の各々を識別するための情報である。この識別情報は、望ましくは他の共同利用者に対する秘匿性や難模倣性を有する情報であって、例えば、パスワード或いは指紋情報や静脈情報等を含む生体認証情報等を含み得る。
【００１９】
携帯型情報端末の実施形態では、上記氏名情報を含むメールが受信された場合に、受信時入力要求として識別情報の入力が要求される。この識別情報の入力に係る入力手段は、識別情報の態様に応じて異なり得る。例えば、入力手段は、識別情報がパスワードであればキーボードやキーボタン等の態様を採り得る。識別情報が生体認証情報であれば、入力手段は、生体認証情報を読み取るためのスキャナや画像認識装置等を含み得る。
【００２０】
受信時入力要求に応じて入力された識別情報である受信時入力識別情報は、記憶手段に記憶された利用者登録情報に含まれる識別情報のうち受信されたメールに含まれる氏名情報に対応する識別情報である受信識別情報と照合され、相互に一致するか否かが判定される。携帯型情報端末の実施形態においては、この受信識別情報と受信時入力識別情報とが一致した場合に、許可手段により当該受信されたメールの閲覧が許可される。
【００２１】
携帯型情報端末の実施形態によれば、共同利用者のうち特定の利用者に対し送信された、潜在的に他の利用者による閲覧を許可しない旨の意思を含んだメール、即ち、氏名情報を含むメールは、当該氏名情報に対応する識別情報の入力及びその認証を経ない限り、その閲覧が許可されない。従って、携帯型情報端末の実施形態が複数の共同利用者で共同利用される状況において、個人的な情報や他の利用者に知られたくない情報の漏洩を防止することができる。即ち、受信されるメールに秘匿性が付与されるのである。
【００２２】
補足すると、携帯型情報端末の実施形態は、パーソナルコンピュータ等、複数の利用者の各々に対応して複数のメールアドレスを設定可能な装置と異なり、一のメールアドレスが複数の共同利用者で共同利用される状況を想定している。このような状況では、受信されるメールは、それが複数の共同利用者の誰に宛てたものであるかに関係なく受信されるため、その時点で携帯型情報端末の実施形態を利用する一の共同利用者による閲覧に供され得る。即ち、個人的な情報や秘匿性の高い情報が外部に漏洩する可能性がある。携帯型情報端末の実施形態は、複数の共同利用者で一の端末を共同利用する場合におけるこのような技術的問題点に想到したものであり、他人宛のメールの閲覧を実質的に不可能にすることによって、複数の共同利用者で一台の端末を安心して共用することを可能としたものである。
【００２３】
携帯型情報端末の実施形態は、例えば、一の目的を共有するグループ内において端末を共同利用する場合等、ビジネスシーンにおいて顕著に効果的である。或いは、携帯型情報端末の実施形態は、例えば、固形の通信インフラ（例えば、家庭への電話配線等）が十分に普及していない地域等において、所謂「家庭電話」の代替手段としても機能し得る。
【００２４】
本発明の携帯型情報端末に係る実施形態の一の態様では、前記識別情報は、生体認証情報である（請求項２）。
【００２５】
この態様によれば、共同利用者の各々の識別がより正確に行われ得る。
【００２６】
また、生体認証情報は、パスワード等、人為的に設定される識別情報と異なり、利用者側での記憶措置を必要としない情報であるから、他人への識別情報の漏洩は基本的に生じない。従って、この態様によれば、本発明の携帯型情報端末に係る実施形態によりもたらされる実践上の利益を比較的簡便に享受することが可能となる。
【００２７】
本発明の携帯型情報端末に係る実施形態の他の態様では、前記氏名情報を含むメールにおいて、前記氏名情報は、メールの件名又はメールアドレスに付帯される（請求項３）。
【００２８】
メールの本文には、メールの宛先となる利用者の氏名の他にも数多くの固有名詞が記述される可能性がある。従って、メールの本文に氏名情報が記述されてしまうと、メールの宛先を判定するための情報であるのか、単なるメールの内容に過ぎない情報であるのかを判別することが困難となり得る。
【００２９】
この態様によれば、氏名情報が、メールの件名又はメールアドレスに付帯されるため、メールの宛先が誤判定される可能性が低くなり、秘匿性が担保されたメール処理が可能となり得る。尚、「メールアドレスに付帯される」とは、メールの送受信に必要となる単一のメールアドレスに対して付帯情報として付帯されることを意味する。即ち、携帯型端末装置に係る実施形態が有するメールアドレスは、あくまで一つである。
【００３０】
本発明の携帯型情報端末に係る実施形態の他の態様では、前記メールの着信音が、前記各々について個別に設定される（請求項４）。
【００３１】
この態様によれば、メールの着信音が複数の利用者の各々について個別に設定されるので、その時点で携帯型情報端末の実施形態を利用する共同利用者は、自身に対応する着信音以外の着信音が鳴った場合には、メールを確認する必要がないと判断することができる。即ち、メール着信の度に誰宛のメールであるかの確認を行う必要がなくなり、使用時の煩わしさが緩和される。
【００３２】
本発明の携帯型情報端末に係る実施形態の他の態様では、前記メールの表示内容又は表示方法が、前記各々について個別に設定される（請求項５）。
【００３３】
この態様によれば、メールの表示内容又は表示方法或いはその両方を利用者毎にカスタマイズすることができるため、複数の共同利用者に共同利用される携帯型情報端末に係る実施形態において、よりパーソナル感を演出することができる。
【００３４】
本発明の携帯型情報端末に係る実施形態の他の態様では、前記氏名情報を含むメールが受信された場合にのみメールの着信が告知される（請求項６）。
【００３５】
この態様によれば、氏名情報を含むメールのみ、その着信が告知される。
【００３６】
氏名情報を含まないメールは、携帯型情報端末に係る実施形態を共同利用する共同利用者のいずれに宛てられたメールにも該当せず、また、迷惑メールである可能性もある。本態様では、そのようなメールについては着信が告知されないので、共同利用者が携帯型情報端末に係る実施形態を利用するにあたっての煩わしさが緩和される。
【００３７】
尚、氏名情報を含まないメールには、例えば、送信者が氏名情報の付帯を失念したメールも含まれる。また、共同利用者のいずれが開封しても問題がない一般的なメールも含まれる。従って、望ましくは、氏名情報を含まないメールは、然るべき記憶手段に記憶され保存される。
【００３８】
本発明の携帯型情報端末に係る実施形態の他の態様では、前記要求手段は、前記メールが送信される場合に送信時入力要求として前記識別情報の入力を要求し、前記判定手段は、前記記憶された利用者登録情報に含まれる前記識別情報の中に前記送信時入力要求に応じて入力された送信時入力識別情報と一致する識別情報があるか否かを判定し、前記携帯型情報端末は、前記記憶された利用者登録情報に含まれる識別情報の中に前記送信時入力識別情報と一致する識別情報があると判定された場合に、前記送信されるメールに前記送信時入力識別情報と一致する識別情報に対応する前記氏名情報を付加する付加手段を更に具備する（請求項７）。
【００３９】
この態様によれば、メールが送信される場合に、送信時入力要求として識別情報の入力が要求される。この識別情報の入力に係る入力手段は、受信時入力要求に応じた識別情報の入力に供される入力手段と望ましくは同一であり、識別情報の態様に応じて異なり得る。例えば、入力手段は、識別情報がパスワードであればキーボードやキーボタン等の態様を採り得る。識別情報が生体認証情報であれば、入力手段は、生体認証情報を読み取るためのスキャナや画像認識装置等を含み得る。
【００４０】
送信時入力要求に応じて入力された識別情報である送信時入力識別情報は、記憶手段に記憶された利用者登録情報に含まれる識別情報と照合され、利用者登録情報に含まれる識別情報の中に、送信時入力識別情報と一致するものがあるか否かが判定される。本態様においては、この送信時入力識別情報と一致する識別情報が存在する場合に、付加手段により、送信されるメールに該当する氏名情報が付加される。
【００４１】
従って、この送信メールを受信する受信者側において、送信側の携帯型情報端末に係る実施形態を共同利用する共同利用者のうち誰がメールを送信したのかを確認することができ、実践上有益である。例えば、このように送信者の特定が可能となる場合、適切な返信メールを作成することができる。また、送信者の特定がなされる場合、所謂「成り済ましメール」等による被害を防ぐこともできる。
【００４２】
＜メール処理方法の実施形態＞
【００４３】
本発明のメール処理方法に係る実施形態は、複数の共同利用者の各々の氏名に関する氏名情報及び該氏名情報に対応付けられた前記各々を識別するための識別情報を含んでなる利用者登録情報を記憶する記憶手段と、前記識別情報を入力可能な入力手段と備えると共にメールの送受信機能を有する携帯型情報端末における、前記メールの処理方法であって、前記氏名情報を含む前記メールが受信された場合に受信時入力要求として前記識別情報の入力が要求される要求工程と、前記記憶された利用者登録情報に含まれる前記識別情報のうち前記受信されたメールに含まれる氏名情報に対応する受信識別情報と、前記受信時入力要求に応じて入力された受信時入力識別情報とが一致するか否かが判定される判定工程と、前記受信識別情報と前記受信時入力識別情報とが一致すると判定された場合に前記受信されたメールの閲覧が許可される許可工程とを具備する（請求項８）。
【００４４】
本発明のメール処理方法に係る実施形態によれば、上記携帯型情報端末に係る実施形態における、要求手段、判定手段及び許可手段と同等の作用を実現する各工程により、上記携帯型情報端末に係る実施形態と同様に、秘匿性の高いメール処理が可能となる。即ち、携帯型情報端末を複数の共同利用者で情報漏洩の心配なく共同利用することが可能となる。
【００４５】
＜コンピュータプログラムの実施形態＞
【００４６】
本発明のコンピュータプログラムに係る実施形態は、コンピュータシステムを本発明の携帯型情報端末に係る実施形態における要求手段、判定手段及び許可手段として機能させる（請求項９）。
【００４７】
本発明のコンピュータプログラムに係る実施形態によれば、当該コンピュータプログラムを格納するＲＯＭ、ＣＤ−ＲＯＭ、ＤＶＤ−ＲＯＭ、ハードディスク等の記録媒体或いはＵＳＢ（Universal Serial Bus）メモリ等コンピュータシステムに着脱可能な固体型記憶装置から、当該コンピュータプログラムをコンピュータシステムに読み込んで実行させれば、或いは、当該コンピュータプログラムを、例えば、通信手段等を介してコンピュータシステムにダウンロードさせた後に実行させれば、上述した本発明の携帯型情報端末に係る実施形態における秘匿性の高いメール処理を比較的簡単に実現できる。
【００４８】
＜記録媒体の実施形態＞
【００４９】
本発明の記録媒体に係る実施形態は、本発明のコンピュータプログラムに係る実施形態が記録される（請求項１０）。
【００５０】
本発明の記録媒体に係る実施形態によれば、コンピュータシステムに装着又は接続することによって、或いはコンピュータシステムに備わる又は接続された然るべき読取装置に挿入することによって、記録している本発明のコンピュータプログラムに係る実施形態を、コンピュータシステムに読み込ませて実行させることができ、上述した本発明の携帯型情報端末に係る実施形態における秘匿性の高いメール処理を比較的簡単に実現できる。
【００５１】
本発明のこのような作用及び他の利得は、これ以降に説明する実施例により明らかにされる。
【実施例】
【００５２】
以下、適宜図面を参照し、本発明を実現するにあたって好適な実施例として、携帯電話機１０について説明する。
【００５３】
＜実施例の構成＞
＜携帯電話機１０の構成＞
始めに、図１を参照し、携帯電話機１０の外観について説明する。ここに、図１は、携帯電話機１０の概略外観図である。
【００５４】
図１において、携帯電話機１０は、機体部１１の表面に画面部２１０及び操作入力部３００が配設された構成を有する、本発明に係る「携帯型情報端末」の一例である。尚、携帯電話機１０は、本発明に係る携帯型情報端末の採り得る一実施例に過ぎず、本発明に係る携帯型情報端末の実践的態様は携帯電話機１０に限定されない。
【００５５】
画面部２１０は、不図示の表示部２００における情報表示用のパネルである。画面部２１０の表示内容は、後述する基本動作制御処理により制御される構成となっている。
【００５６】
操作入力部３００は、利用者により操作可能に構成された複数ボタンスイッチを備えており、当該複数のボタンスイッチの各々について、利用者による操作がなされたか否かを表す操作入力信号を発生する構成となっている。
【００５７】
次に、図２を参照し、携帯電話機１０の詳細な構成について説明する。ここに、図２は、携帯電話機１０のブロック図である。尚、同図において、図１と重複する箇所には同一の符号を付してその説明を適宜省略することとする。
【００５８】
図２において、携帯電話機１０は、制御装置１００、表示部２００、操作入力部３００及び記憶部４００を備える。これらは、夫々制御バスＢＳを介して電気的に接続されている。
【００５９】
制御装置１００は、携帯電話機１０の動作を制御可能に構成された、本発明に係る「要求手段」、「判定手段」及び「許可手段」の一例たるコンピュータ装置である。制御装置１００は、受信処理部１１０、情報取得部１２０、情報保護部１３０、送信処理部１４０、入力処理部１５０、表示制御部１６０及び認証部１７０を備える。
【００６０】
尚、携帯電話機１０には、図２に図示される構成要素の他にも、音声通話、ネットワーク通信、被写体の撮影及び放送番組の受信等、一般的に携帯電話が備える各種機能を実現する構成要素が含まれる。また、アンテナ、スピーカ及びマイクロフォン等も含まれる。これら携帯電話機として一般的に備わり得る周知の構成については、本発明との相関が低いことから、説明の煩雑化を防ぐため、その図示及びその説明を省略することとする。
【００６１】
受信処理部１１０は、メールの受信に関する処理を実行可能に構成される。
【００６２】
情報取得部１２０は、受信されたメールに含まれる各種情報及び記憶部４００に記憶される各種情報を取得可能に構成される。
【００６３】
情報保護部１３０は、メールにセキュリティ性を付与するための処理を実行可能に構成される。情報保護部１３０は、本発明に係る「要求手段」及び「許可手段」の一例である。
【００６４】
送信処理部１４０は、メールの送信に関する処理を実行可能に構成される。
【００６５】
入力処理部１５０は、操作入力部３００を介して行われた入力操作に応じた動作制御を実行可能に構成される。
【００６６】
表示制御部１６０は、表示部２００の画面部２１０の表示内容を制御可能に構成される。
【００６７】
認証部１７０は、上記情報保護部１３０の動作と連動して、各種認証処理を実行可能に構成される。認証部１７０は、本発明に係る「判定手段」の一例である。
【００６８】
尚、認証部１７０は、後述する基本動作制御処理に関連する各種の処理において、必要に応じて、利用者の指紋を読み取り可能なスキャナ装置（不図示）から、読み取られた指紋に係る指紋情報を受け取り、比較対象となる指紋情報と照合することができる。また、入力されたパスワードと記憶されたパスワードとを照合することができる。
【００６９】
表示部２００は、図１で説明した画面部２１０を備えた、例えば液晶ディスプレイ装置や有機ＥＬディスプレイ装置等の表示装置である。
【００７０】
記憶部４００は、ＲＯＭ（Read Only Memory）、ＲＡＭ（Random Access Memory）及びフラッシュメモリ等を含む記憶装置である。
【００７１】
記憶部４００のフラッシュメモリには、共同利用者情報及び識別情報が相互に対応付けられた状態で格納されている。
【００７２】
共同利用者情報とは、携帯電話機１０の共同利用者の各々について設定された、当該共同利用者の氏名を含む個人情報である。識別情報とは、この共同利用者の各々を識別するための認証情報であり、本実施例では、パスワードと指紋情報（即ち、指紋の画像データ）とがこれに該当する。
【００７３】
尚、「相互に対応付けられた状態で格納される」とは、識別情報の中から一の共同利用者情報に対応する識別情報を検索可能であり、また共同利用者情報の中から一の識別情報に対応する共同利用者情報を検索可能であることを意味する。
【００７４】
尚、記憶部４００が有するＲＯＭには、制御装置１００が実行する各種の制御に関する制御プログラムが格納されている。この制御プログラムの中には、後述する基本動作制御処理に関する制御プログラムも含まれる。この基本動作制御処理に関する制御プログラムは、本発明に係る「コンピュータプログラム」の一例である。また、このＲＯＭは、本発明に係る「記録媒体」の一例である。尚、本実施例において、基本動作制御処理に関する制御プログラムは予め制御装置１００に備わるが、この制御プログラムは、ＲＡＭ又はフラッシュメモリにおける随時書き込み可能な記憶領域に書き込まれていてもよい。この場合、基本動作制御処理に係る制御プログラムのアップデート及びメンテナンス等が比較的簡便になされ得る。また、この制御プログラムをネットワークで配信する、或いは制御プログラムが記録された記録媒体を配布する等の措置を講じることも可能となる。
【００７５】
＜実施例の動作＞
次に、本実施例の動作について説明する。
【００７６】
始めに、図３を参照し、基本動作制御処理の概要について説明する。ここに、図３は、基本動作制御処理のフローチャートである。尚、基本動作制御処理は、携帯電話機１０の電源ＯＦＦ時に起動操作を受け付けて待機時制御に移行する処理である。
【００７７】
図３において、入力処理部１５０により、起動操作の有無が判定される（ステップＳ１０）。起動操作とは、電源ＯＦＦ状態においてなされる電源ＯＮ操作である。起動操作が無い場合（ステップＳ１０：ＮＯ）、ステップＳ１０が繰り返し実行され、電源ＯＦＦ状態が継続する。
【００７８】
起動操作が有る場合（ステップＳ１０：ＹＥＳ）、起動時制御が実行される（ステップＳ１００）。起動時制御が終了すると、待機時制御が実行される（ステップＳ２００）。待機時制御が開始されると、携帯電話機１０が電源ＯＦＦ操作を受け付けて電源ＯＦＦ状態になるまで待機時制御が継続する。電源ＯＦＦ状態においては、基本動作制御が受け付け可能となり、ステップＳ１０から上述した処理が行われる。
【００７９】
＜待機時制御の詳細＞
次に、図４を参照し、待機時制御の詳細について説明する。ここに、図４は、待機時制御のフローチャートである。尚、起動時制御については後述する。
【００８０】
図４において、待機時制御が開始されると、複数の処理が並列的に稼動する。図４では、この複数の処理として、メインメニュ関連処理（ステップＳ２０３〜Ｓ２０４、Ｓ３００、Ｓ４００、Ｓ５００、Ｓ６００及びＳ７００）、待ち受け処理（ステップＳ８００）並びに電源ＯＦＦ処理（ステップＳ２０１〜Ｓ２０２）が示される。
【００８１】
電源ＯＦＦ処理においては、電源ＯＦＦ条件が成立するか否かが判定される（ステップＳ２０１）。電源ＯＦＦ条件とは、携帯電話機１０を電源ＯＦＦ状態にする条件であり、利用者の操作によるものと、電池残量によるものとに大別される。前者は、利用者が操作入力部３００を介して電源ＯＦＦ操作を行った場合に成立する。後者は、電池残量が所定残量未満に低下した場合に成立する。電源ＯＦＦ条件が成立すると（ステップＳ２０１：ＹＥＳ）、携帯電話機１０は電源ＯＦＦ状態に制御される（ステップＳ２０２）。携帯電話機１０が電源ＯＦＦ状態となった時点で、待機時制御も終了し、上述した基本動作制御処理が復活する。電源ＯＦＦ条件が成立しない限りは（ステップＳ２０１：ＮＯ）、ステップＳ２０１が繰り返されるため、電源ＯＦＦ処理は実質的に待機状態となる。この状態では、待機時制御は継続的にアクティブとなる。
【００８２】
待ち受け処理においては、電話着信時における通話処理、メール着信時の新着メール受信処理、待ち受け画面の表示処理等が行われる。待ち受け処理のうち、新着メール受信処理については後述する。
【００８３】
メインメニュ関連処理においては、先ずメインメニュの呼び出し操作の有無が判定される（ステップＳ２０３）。メインメニュの呼び出し操作が無い場合（ステップＳ２０３：ＮＯ）、ステップＳ２０３が繰り返され、処理は待機状態に維持される。この状態では、実質的に待ち受け処理のみがアクティブとなる。
【００８４】
メインメニュの呼び出し操作が有る場合（ステップＳ２０３：ＹＥＳ）、表示制御部１６０により画面部２１０にメインメニュが表示される（ステップＳ２０４）。
【００８５】
ここで、図５を参照し、メインメニュについて説明する。ここに、図５は、メインメニュ画面の概略図である。尚、同図において、図１と重複する箇所には同一の符号を付してその説明を適宜省略することとする。
【００８６】
図５において、メインメニュ画面は、表示部２００の画面部２１０にメインメニュＭＭが表示された画面である。
【００８７】
メインメニュＭＭには、携帯電話機１０の基本動作に関連するメインメニュ項目として、共同利用者の登録に関するメインメニュ項目Ｍ１、動作モードの切り替えに関連するメインメニュ項目Ｍ２、着信音の設定に関連するメインメニュ項目Ｍ３、メールの送信に関連するメインメニュ項目Ｍ４及びメール受信ＢＯＸに関連するメインメニュ項目Ｍ５が含まれる。尚、他のメインメニュ項目については本実施例における説明を省略する。
【００８８】
メインメニュＭＭにおいて、各メインメニュ項目は操作入力部３００を介して適宜選択可能に構成される。例えば、操作入力部３００からメインメニュ項目Ｍ１を指定する旨の「１」の数字入力が行われたり、或いは、方向キーの操作により、選択候補を示すカーソル等がメインメニュ項目Ｍ１に合わせられたりすることによって、メインメニュ画面上での機能選択が実現される。
【００８９】
図４に戻り、メインメニュが表示されると、相互いに並列処理される複数のサブルーチンとして共同利用者登録処理（ステップＳ３００）、動作モード切り替え処理（ステップＳ４００）、着信音設定処理（ステップＳ５００）、メール送信処理（ステップＳ６００）及び受信ＢＯＸ処理（ステップＳ７００）が実行される。尚、共同利用者登録処理、動作モード切り替え処理、着信音設定処理、メール送信処理及び受信ＢＯＸ処理は、夫々メインメニュＭＭにおけるメインメニュ項目Ｍ１、Ｍ２、Ｍ３、Ｍ４及びＭ５の選択操作に対応して実行される処理である。
【００９０】
＜共同利用者登録処理の詳細＞
ここで、図６を参照し、共同利用者登録処理について説明する。ここに、図６は、共同利用者登録処理のフローチャートである。
【００９１】
共同利用者登録処理では、二系統の処理が並列的に進行する。一方は復帰に関連する復帰関連処理であり、他方は共同利用者の登録に関連する登録関連処理である。
【００９２】
復帰関連処理では、先ずメニュ復帰操作の有無が判定される（ステップＳ３０１）。メニュ復帰操作とは、メインメニュへの復帰を促す操作であり、操作入力部３００を介してなされる利用者の操作である。メニュ復帰操作が検出された場合（ステップＳ３０１：ＹＥＳ）、表示制御部１６０によりメインメニュが表示される（ステップＳ３０２）。尚、既にメインメニュが表示されている場合には、画面部２１０の表示内容は変化しない。
【００９３】
メニュ復帰操作が無い場合（ステップＳ３０１：ＮＯ）、待ち受け復帰操作の有無が判定される（ステップＳ３０３）。待ち受け復帰操作は、画面部２１０に待ち受け画面を表示させる操作であり、操作入力部３００を介してなされる利用者の操作である。待ち受け復帰操作は、言い換えれば、メインメニュＭＭの表示を終了すべき旨の利用者の意思を表す操作である。従って、待ち受け復帰操作が検出された場合（ステップＳ３０３：ＹＥＳ）、共同利用者登録処理は終了する。共同利用者登録処理が終了すると、メインメニュＭＭの表示は終了し、図４においてメニュ関連処理はステップＳ２０３に戻される。待ち受け復帰操作が検出されない場合（ステップＳ３０３：ＮＯ）、処理はステップＳ３０１に戻される。
【００９４】
一方、登録関連処理においては、先ずメインメニュ項目Ｍ１（即ち、共同利用者の登録に関連するメインメニュ項目）が選択されたか否かが判定される（ステップＳ３０４）。メインメニュ項目Ｍ１が選択されていない場合（ステップＳ３０４：ＮＯ）、処理はステップＳ３０４で待機状態となる。
【００９５】
メインメニュ項目Ｍ１が選択された場合（ステップＳ３０４：ＹＥＳ）、画面部２１０に共同利用者登録画面が表示される（ステップＳ３０５）。
【００９６】
ここで、図７を参照し、共同利用者登録画面について説明する。ここに、図７は、共同利用者登録画面の概略図である。尚、同図において、図１と重複する箇所には同一の符号を付してその説明を適宜省略することとする。
【００９７】
図７において、共同利用者登録画面は、表示部２００の画面部２１０に共同利用者登録用サブメニュＳＭ１が表示された画面である。
【００９８】
共同利用者登録用サブメニュＳＭ１には、携帯電話機１０を他の共同利用者と共同利用する一の共同利用者の個人情報である氏名情報（即ち、本発明に係る「氏名情報」の一例である）に対応するサブメニュ項目として、共同利用者の氏名に対応するサブメニュ項目ＳＭ１１、メールに使われる表示名に対応するサブメニュ項目ＳＭ１２、着信音パターンに対応するサブメニュ項目ＳＭ１３及びＩＤに対応するサブメニュ項目ＳＭ１４が、また共同利用者の識別情報（即ち、本発明に係る「識別情報」の一例である）に関連するサブメニュ項目として、パスワードに対応するサブメニュ項目ＳＭ１５及び指紋情報に対応するサブメニュ項目ＳＭ１６が含まれる。
【００９９】
共同利用者登録用サブメニュＳＭ１において、各サブメニュ項目は操作入力部３００を介して適宜選択可能に構成される。例えば、操作入力部３００からサブメニュ項目ＳＭ１１を指定する旨の「１」の数字入力が行われたり、或いは、方向キーの操作により、選択候補を示すカーソル等がサブメニュ項目ＳＭ１１に合わせられたりすることによって、共同利用者登録画面上での機能選択が実現される。
【０１００】
図６に戻り、共同利用者登録画面が表示されると、氏名情報が入力されたか否かが判定される（ステップＳ３０６）。ここで、氏名情報には必須項目が設定されていてもよい。例えば、サブメニュ項目ＳＭ１１、ＳＭ１２及びＳＭ１４は、夫々共同利用者の氏名を特定可能な情報であるから、これらのうち少なくとも一個が入力されれば氏名情報が入力されているとの判定が下されるように予め条件が設定されていてもよい。氏名情報が入力されていない場合（ステップＳ３０６：ＮＯ）、氏名情報の入力が完了するまで処理は待機状態とされる。
【０１０１】
氏名情報が入力された場合（ステップＳ３０６：ＹＥＳ）、識別情報が入力されたか否かが判定される（ステップＳ３０７）。識別情報の入力が未完了である場合（ステップＳ３０７：ＮＯ）、処理はステップＳ３０７で待機状態となる。
【０１０２】
尚、識別情報は、パスワードと指紋情報との双方が設定されているのが望ましいが、これらのうち少なくとも一方が設定されていればよい。パスワードによる認証は、指紋情報や静脈情報等の生態情報による認証と較べて低コスト且つ構成も簡易で済むが、その反面、パスワードを忘れる可能性があり、また忘れないように紙片等に記録しておくと情報漏洩の可能性がある。一方、指紋情報や静脈情報等の生体認証情報は、パスワードによる認証と較べれば高コストでありまたスキャナ装置等、相応の識別装置を必要とする反面、忘却の可能性も情報漏洩の可能性も殆どない。
【０１０３】
識別情報の入力が完了すると（ステップＳ３０７：ＹＥＳ）、氏名情報と識別情報とが利用者登録情報として記憶部４００に記憶される（ステップＳ３０８）。利用者登録情報の記憶処理が完了すると、一の共同利用者の登録が完了する。共同利用者の登録が完了すると、処理はステップＳ３０５に戻される。即ち、表示部２００の画面部２１０には、新しい共同利用者登録画面が表示される。共同利用者登録処理はこのようにして行われる。
【０１０４】
図８には、氏名情報及び識別情報の入力が完了した状態における共同利用者登録画面が例示される。図８では、共同利用者登録用サブメニュＳＭ１に含まれる全てのサブメニュ項目について、入力が行われた状態が示されている。尚、図８に例示される情報は、単なる一例であって、氏名情報及び識別情報の各々について、如何なる限定も示唆するものでない。
【０１０５】
＜動作モード切り替え処理の詳細＞
次に、図９を参照し、動作モード切り替え処理について説明する。ここに、図９は、動作モード切り替え処理のフローチャートである。
【０１０６】
動作モード切り替え処理では、二系統の処理が並列的に進行する。一方は復帰に関連する復帰関連処理であり、他方は動作モードの切り替えに関連する切り替え関連処理である。
【０１０７】
復帰関連処理では、先ずメニュ復帰操作の有無が判定される（ステップＳ４０１）。メニュ復帰操作とは、メインメニュへの復帰を促す操作であり、操作入力部３００を介してなされる利用者の操作である。メニュ復帰操作が検出された場合（ステップＳ４０１：ＹＥＳ）、表示制御部１６０によりメインメニュが表示される（ステップＳ４０２）。尚、既にメインメニュが表示されている場合には、画面部２１０の表示内容は変化しない。
【０１０８】
メニュ復帰操作が無い場合（ステップＳ４０１：ＮＯ）、待ち受け復帰操作の有無が判定される（ステップＳ４０３）。待ち受け復帰操作は、画面部２１０に待ち受け画面を表示させる操作であり、操作入力部３００を介してなされる利用者の操作である。待ち受け復帰操作は、言い換えれば、メインメニュＭＭの表示を終了すべき旨の利用者の意思を表す操作である。従って、待ち受け復帰操作が検出された場合（ステップＳ４０３：ＹＥＳ）、動作モード切り替え処理は終了する。動作モード切り替え処理が終了すると、メインメニュＭＭの表示は終了し、図４においてメニュ関連処理はステップＳ２０３に戻される。待ち受け復帰操作が検出されない場合（ステップＳ４０３：ＮＯ）、処理はステップＳ４０１に戻される。
【０１０９】
一方、切り替え関連処理においては、先ずメインメニュ項目Ｍ２（即ち、動作モードの切り替えに関連するメインメニュ項目）が選択されたか否かが判定される（ステップＳ４０４）。メインメニュ項目Ｍ２が選択されていない場合（ステップＳ４０４：ＮＯ）、処理はステップＳ４０４で待機状態となる。
【０１１０】
メインメニュ項目Ｍ２が選択された場合（ステップＳ４０４：ＹＥＳ）、画面部２１０に動作モード切り替え画面が表示される（ステップＳ４０５）。
【０１１１】
ここで、図１０を参照し、動作モード切り替え画面について説明する。ここに、図１０は、動作モード切り替え画面の概略図である。尚、同図において、図１と重複する箇所には同一の符号を付してその説明を適宜省略することとする。
【０１１２】
図１０において、動作モード切り替え画面は、表示部２００の画面部２１０に動作モード切り替え用サブメニュＳＭ２及び確認用サブメニュＳＭ３が表示された画面である。
【０１１３】
動作モード切り替え用サブメニュＳＭ２には、携帯電話機１０で選択可能な動作モードに対応するサブメニュ項目として、通常モードに対応するサブメニュ項目ＳＭ２１、マルチユーザモードに対応するサブメニュ項目ＳＭ２２及びユニークユーザモードに対応するサブメニュ項目ＳＭ２３が含まれる。即ち、携帯電話機１０では、通常モード、マルチユーザモード及びユニークユーザモードの三種類の動作モードが用意されている。
【０１１４】
通常モードは、通常の携帯電話機と同様の動作を実現する動作モードである。即ち、通常モードにおいては、複数の共同利用者が区別されることはない。即ち、着信したメールは、誰でも閲覧することができる。特に秘匿性を有するメールのやり取りが行われない環境においては、通常モードが選択されても実践上問題はない。
【０１１５】
但し、通常モードにおいて、新規に着信したメール及び記憶部４００内に仮想的に構築された受信ＢＯＸに保存される過去のメールが全て閲覧可能になってしまうと、後述するマルチユーザモード及びユニークユーザモードにより付与されるセキュリティが無効になってしまう。従って、通常モードにおいても、情報保護部１３０により、特定の共同利用者に宛てられたメールの閲覧は認証処理を経ないと許可されない。
【０１１６】
マルチユーザモードは、一の携帯電話機を複数の共同利用者で共同利用するための動作モードである。マルチユーザモードでは、設定された共同利用者のうち特定の共同利用者に宛てられた着信メールについては、他の共同利用者が閲覧できない仕組みとなっている。即ち、マルチユーザモードは、本発明に係る、秘匿性を有するメール処理を実現する動作モードである。
【０１１７】
ユニークユーザモードは、マルチユーザモードと同様に、携帯電話機１０の共同利用を前提とした動作モードである。但し、マルチユーザモードよりも特定の共同利用者の操作性を重視した動作モードとなっている。ユニークユーザモードは、本発明に係る、秘匿性を有するメール処理を実現する他の動作モードである。マルチユーザモード及びユニークユーザモードにおける実際のメール処理については後述する。
【０１１８】
動作モード切り替え用サブメニュＳＭ２において、各サブメニュ項目は操作入力部３００を介して適宜選択可能に構成される。例えば、操作入力部３００からサブメニュ項目ＳＭ２１を指定する旨の「１」の数字入力が行われたり、或いは、方向キーの操作により、選択候補を示すカーソル等をサブメニュ項目ＳＭ２１に合わせたりすることによって、動作モード切り替え画面上での動作モードの選択が実現される。
【０１１９】
確認用サブメニュＳＭ３には、現在選択されている動作モードに関する情報と、動作モードの変更意思確認に関するサブメニュ項目ＳＭ３１及びＳＭ３２とが含まれる。サブメニュ項目ＳＭ３１は「ＹＥＳ」の意思に、サブメニュ項目ＳＭ３２は「ＮＯ」の意思に夫々対応しており、動作モード切り替え用サブメニュＳＭ２と同様に、操作入力部３００を介して適宜選択可能となっている。
【０１２０】
図９に戻り、動作モード切り替え画面が表示されると、入力処理部１５０により、動作モードの切り替え操作の有無が判定される（ステップＳ４０６）。動作モードの切り替え操作とは、確認用サブメニュＳＭ３におけるサブメニュ項目ＳＭ３１の操作と、動作モード切り替え用サブメニュＳＭ２からの一の動作モードの選択操作を意味する。
【０１２１】
動作モードの切り替え操作が無い場合（ステップＳ４０６：ＮＯ）、処理はステップＳ４０６で待機状態とされる。尚、この場合、確認用サブメニュＳＭ３におけるサブメニュ項目ＳＭ３２（動作モードを変更しない旨のメニュ項目）が選択された場合には、画面部の表示内容がメインメニュＭＭに切り替えられ、処理はステップＳ４０４に戻される。
【０１２２】
動作モードの切り替え操作が有る場合（ステップＳ４０６：ＹＥＳ）、選択された動作モードがユニークユーザモードであるか否かが判定される（ステップＳ４０７）。ユニークユーザモードは、特定のユーザにメール閲覧に関する優先権を付与することにより、特定のユーザに対する携帯電話機１０の操作性を向上させた動作モードである。ユニークユーザモードは、メールのセキュリティに関してはマルチユーザモードと同等であるが、その時点で携帯電話機１０を使用するユーザの操作性を向上させ得ることから、実践上有益である。
【０１２３】
ユニークユーザモードが選択されなかった場合（ステップＳ４０７：ＮＯ）、即ち、通常モード又はマルチユーザモードが選択された場合には、動作モードが選択された動作モードに無条件に切り替えられる（ステップＳ４１１）。即ち、ユニークユーザモード以外は、動作モードの切り替え時に本人識別は不要である。
【０１２４】
ユニークユーザモードが選択された場合（ステップＳ４０７：ＹＥＳ）、識別情報の入力が要求され、係る要求に応じて識別情報が入力されたか否かが判定される（ステップＳ４０８）。識別情報が未入力である場合（ステップＳ４０８：ＮＯ）、処理はステップＳ４０８で待機状態となる。尚、識別情報の入力とは、操作入力部３００を介したパスワードの入力や、スキャナ装置等の読み取り装置による、画面部２１０にかざされた指紋のスキャニング動作の完了等を意味する。
【０１２５】
識別情報が入力された場合（ステップＳ４０８：ＹＥＳ）、入力された識別情報と一致する識別情報が記憶部４００に記憶された識別情報の中に存在するか否かが認証部により検索される。その結果、入力された識別情報と一致する識別情報が存在するか否かが判定される（ステップＳ４０９）。一致する識別情報が存在しない場合（ステップＳ４０９：ＮＯ）、処理はステップＳ４０５に戻される。尚、この際、「認証に失敗しました」や、「一致する識別情報が見当たりません」等、ユニークユーザモードの選択が許可されなかった旨を示す情報が、表示制御部１６０の制御により表示されてもよい。
【０１２６】
一方、入力された識別情報と一致する識別情報が存在する場合（ステップＳ４０９：ＹＥＳ）、記憶部４００に記憶された識別情報のうち、入力された識別情報と一致する識別情報に対応する利用者登録情報が特定され、更に、その利用者登録情報から、氏名情報が取得される。そして、この取得された氏名情報により特定される一の共同利用者が、メール閲覧に関する優先権者として設定される（ステップＳ４１０）。最後に、選択された動作モードへの切り替えが実行され（ステップＳ４１１）、処理はステップＳ４０５に戻される。動作モード切り替え処理はこのように実行される。
【０１２７】
＜着信音設定処理の詳細＞
次に、図１１を参照し、着信音設定処理について説明する。ここに、図１１は、着信音設定処理のフローチャートである。
【０１２８】
着信音設定処理では、二系統の処理が並列的に進行する。一方は復帰に関連する復帰関連処理であり、他方は着信音設定に関連する設定関連処理である。
【０１２９】
復帰関連処理では、先ずメニュ復帰操作の有無が判定される（ステップＳ５０１）。メニュ復帰操作とは、メインメニュへの復帰を促す操作であり、操作入力部３００を介してなされる利用者の操作である。メニュ復帰操作が検出された場合（ステップＳ５０１：ＹＥＳ）、表示制御部１６０によりメインメニュが表示される（ステップＳ５０２）。尚、既にメインメニュが表示されている場合には、画面部２１０の表示内容は変化しない。
【０１３０】
メニュ復帰操作が無い場合（ステップＳ５０１：ＮＯ）、待ち受け復帰操作の有無が判定される（ステップＳ５０３）。待ち受け復帰操作は、画面部２１０に待ち受け画面を表示させる操作であり、操作入力部３００を介してなされる利用者の操作である。待ち受け復帰操作は、言い換えれば、メインメニュＭＭの表示を終了すべき旨の利用者の意思を表す操作である。従って、待ち受け復帰操作が検出された場合（ステップＳ５０３：ＹＥＳ）、着信音設定処理は終了する。着信音設定処理が終了すると、メインメニュＭＭの表示は終了し、図４においてメニュ関連処理はステップＳ２０３に戻される。待ち受け復帰操作が検出されない場合（ステップＳ５０３：ＮＯ）、処理はステップＳ５０１に戻される。
【０１３１】
一方、設定関連処理においては、先ずメインメニュ項目Ｍ３（即ち、着信音の設定に関連するメインメニュ項目）が選択されたか否かが判定される（ステップＳ５０４）。メインメニュ項目Ｍ３が選択されていない場合（ステップＳ５０４：ＮＯ）、処理はステップＳ５０４で待機状態となる。
【０１３２】
メインメニュ項目Ｍ３が選択された場合（ステップＳ５０４：ＹＥＳ）、画面部２１０に着信音設定画面が表示される（ステップＳ５０５）。
【０１３３】
着信音設定画面は、予め与えられた着信音パターンの中から所望の着信音パターンを選択可能な画面構成となっている。或いは、ネットワーク等を介して提供されるより広範な選択肢の中から所望の着信音パターンを選択可能な画面構成となっている。着信音設定画面の詳細については説明を省略する。
【０１３４】
着信音設定画面が表示されると、入力処理部１５０により、着信音が選択されたか否かが判定される（ステップＳ５０６）。着信音が選択されていない場合（ステップＳ５０６：ＮＯ）、処理はステップＳ５０６で待機状態とされる。
【０１３５】
選択された着信音がある場合（ステップＳ５０６：ＹＥＳ）、画面部２１０には、選択された着信音を着信音として使用する利用者の情報の入力を要求する画面が表示される。利用者の情報の入力がない場合（ステップＳ５０７：ＮＯ）、例えば、利用者を指定しない旨のサブメニュ項目が選択される等した場合、処理はステップＳ５１１に移行され、選択された着信音が、通常モード時の着信音に設定される（ステップＳ５１１）。選択された着信音が通常モード時の着信音に設定されると、処理はステップＳ５０５に戻される。
【０１３６】
一方、選択された着信音を着信音として使用する利用者の情報が入力された場合（ステップＳ５０７：ＹＥＳ）、識別情報の入力が要求され、係る要求に応じて識別情報が入力されたか否かが判定される（ステップＳ５０８）。識別情報が未入力である場合（ステップＳ５０８：ＮＯ）、処理はステップＳ５０８で待機状態となる。尚、識別情報の入力とは、操作入力部３００を介したパスワードの入力や、スキャナ装置等の読み取り装置による、画面部２１０にかざされた指紋のスキャニング動作の完了等を意味する。
【０１３７】
識別情報が入力された場合（ステップＳ５０８：ＹＥＳ）、入力された識別情報と一致する識別情報が記憶部４００に記憶された識別情報の中に存在するか否かが認証部１７０により検索される。その結果、入力された識別情報と一致する識別情報が存在するか否かが判定される（ステップＳ５０９）。一致する識別情報が存在しない場合（ステップＳ５０９：ＮＯ）、処理はステップＳ５０５に戻される。尚、この際、「認証に失敗しました」や、「一致する識別情報が見当たりません」等、着信音の個別設定が許可されなかった旨を示す情報が、表示制御部１６０の制御により表示されてもよい。
【０１３８】
一方、入力された識別情報と一致する識別情報が存在する場合（ステップＳ５０９：ＹＥＳ）、記憶部４００に記憶された識別情報のうち、入力された識別情報と一致する識別情報に対応する利用者登録情報が特定され、更に、その利用者登録情報から、氏名情報が取得される。そして、選択された着信音が、この取得された氏名情報により特定される一の共同利用者が利用する着信音として設定される（ステップＳ５１０）。その後、処理はステップＳ５０５に戻される。着信音設定処理はこのように実行される。
【０１３９】
＜メール送信処理の詳細＞
次に、図１２を参照し、メール送信処理について説明する。ここに、図１２は、メール送信処理のフローチャートである。
【０１４０】
メール送信処理では、二系統の処理が並列的に進行する。一方は復帰に関連する復帰関連処理であり、他方はメール送信に関連する送信関連処理である。
【０１４１】
復帰関連処理では、先ずメニュ復帰操作の有無が判定される（ステップＳ６０１）。メニュ復帰操作とは、メインメニュへの復帰を促す操作であり、操作入力部３００を介してなされる利用者の操作である。メニュ復帰操作が検出された場合（ステップＳ６０１：ＹＥＳ）、表示制御部１６０によりメインメニュが表示される（ステップＳ６０２）。尚、既にメインメニュが表示されている場合には、画面部２１０の表示内容は変化しない。
【０１４２】
メニュ復帰操作が無い場合（ステップＳ６０１：ＮＯ）、待ち受け復帰操作の有無が判定される（ステップＳ６０３）。待ち受け復帰操作は、画面部２１０に待ち受け画面を表示させる操作であり、操作入力部３００を介してなされる利用者の操作である。待ち受け復帰操作は、言い換えれば、メインメニュＭＭの表示を終了すべき旨の利用者の意思を表す操作である。従って、待ち受け復帰操作が検出された場合（ステップＳ６０３：ＹＥＳ）、メール送信処理は終了する。メール送信処理が終了すると、メインメニュＭＭの表示は終了し、図４においてメニュ関連処理はステップＳ２０３に戻される。待ち受け復帰操作が検出されない場合（ステップＳ６０３：ＮＯ）、処理はステップＳ６０１に戻される。
【０１４３】
一方、送信関連処理においては、先ずメインメニュ項目Ｍ４（即ち、メールの送信に関連するメインメニュ項目）が選択されたか否かが判定される（ステップＳ６０４）。メインメニュ項目Ｍ４が選択されていない場合（ステップＳ６０４：ＮＯ）、処理はステップＳ６０４で待機状態となる。
【０１４４】
メインメニュ項目Ｍ４が選択された場合（ステップＳ６０４：ＹＥＳ）、画面部２１０にメール作成画面が表示される（ステップＳ６０５）。
【０１４５】
ここで、図１３を参照し、メール作成画面について説明する。ここに、図１３は、メール作成画面の概略図である。尚、同図において、図１と重複する箇所には同一の符号を付してその説明を適宜省略することとする。
【０１４６】
図１３において、メール作成画面は、表示部２００の画面部２１０にアドレスエリアＡａｄｒ、件名エリアＡｓｕｂ及び本文入力エリアＡｔｘｔの各領域が表示された画面である。各エリアには、操作入力部３００を介して自由に文字を入力することができる。尚、アドレスエリアＡａｄｒには、予め記憶されたアドレス帳データからデータを選択して自動入力することもできる。即ち、メールの作成機能に関しては、携帯電話機１０は、公知の携帯電話機と同等の機能を有している。
【０１４７】
また、メール作成画面における、本文入力エリアＡｔｘｔの下方には、確認用サブメニュＳＭ４が表示される。確認用サブメニュＳＭ４には、メールの送信先（送信相手）の氏名情報をメールに付加するか否かの確認に関するサブメニュ項目ＳＭ４１及びＳＭ４２が含まれる。サブメニュ項目ＳＭ４１は「ＹＥＳ」の意思に、サブメニュ項目ＳＭ４２は「ＮＯ」の意思に夫々対応しており、他のサブメニュと同様に、操作入力部３００を介して適宜選択可能となっている。
【０１４８】
図１２に戻り、メール作成画面が表示されると、メールの送信先に送信先のユーザの氏名情報を付加するか否かが判定される（ステップＳ６０６）。即ち、実質的には、確認用サブメニュＳＭ４におけるサブメニュ項目ＳＭ４１が選択されたか、サブメニュ項目ＳＭ４２が選択されたかが判定される。前者は、メールの送信先に送信先のユーザの氏名情報を付加する旨の利用者の意思に相当し、後者は、メールの送信先に送信先のユーザの氏名情報を付加しない旨の利用者の意思に相当する。
【０１４９】
送信先ユーザの氏名情報を付加すべき場合（ステップＳ６０６：ＹＥＳ）、アドレスエリアＡａｄｒ及び件名エリアＡｓｕｂに、送信先ユーザの氏名情報が付加される（ステップＳ６０７）。その様子が図１４に例示される。図１４は、送信先の氏名情報がアドレス及び件名に付加されたメール作成画面を例示する図である。尚、同図において、図１３と重複する箇所には同一の符号を付してその説明を適宜省略することとする。
【０１５０】
図１４には、アドレスエリアＡａｄｒに記述されたメールアドレス「ＡＢ＠ｘｘｘ」に、送信先の氏名情報である「□□様」が付加されている。また、件名エリアＡｓｕｂに記述された件名「●●の件」に、送信先の氏名情報である「“□□様”」が付加されている。この氏名情報は、送信先の保有する端末が、携帯電話機１０と同等の機能を有する場合には、マルチユーザモード或いはユニークユーザモードにおける秘匿性の高いメール処理に利用することができる。携帯電話機１０における秘匿性の高いメール処理については、後述する。氏名情報が付加されると、処理はステップＳ６０８に移行される。
【０１５１】
尚、このアドレスエリアＡａｄｒへの氏名情報の付加は、例えば、メールアドレスのフォーマットを規定する公知の規格であるＲＦＣ５３２２に従って実現される。
【０１５２】
図１２に戻り、送信先ユーザの氏名情報を付加すべきでない場合（ステップＳ６０６：ＮＯ）、送信先のアドレス及び件名に、送信先ユーザの氏名情報は付加されず、処理はステップＳ６０８に移行する。ステップＳ６０８では、メール送信指示の有無が判定される。
【０１５３】
図１４に戻って説明すると、確認用サブメニュＳＭ４の操作が終了した段階で、本文入力エリアＡｔｘｔの下方には送信指示用サブメニュＳＭ５が表示される。送信指示用サブメニュＳＭ５には、メールを送信するか否かの確認に関するサブメニュ項目ＳＭ５１及びＳＭ５２が含まれる。サブメニュ項目ＳＭ５１は「ＹＥＳ」の意思に、サブメニュ項目ＳＭ５２は「ＮＯ」の意思に夫々対応しており、他のサブメニュと同様に、操作入力部３００を介して適宜選択可能となっている。
【０１５４】
図１２に戻り、送信指示用サブメニュＳＭ５を介したメールの送信指示が検出されない場合（ステップＳ６０８：ＮＯ）、処理はステップＳ６０８で待機状態となる。メールの送信指示が検出されると（ステップＳ６０８：ＹＥＳ）、送信者の氏名情報を付加するか否かが判定される（ステップＳ６０９）。
【０１５５】
メールの送信指示がなされた段階で、送信指示用サブメニュＳＭ５に代わって本文入力エリアＡｔｘｔの下方には確認用サブメニュＳＭ６（不図示）が表示される。確認用サブメニュＳＭ６には、送信元の氏名情報を付加すべきか否かの確認に関するサブメニュ項目ＳＭ６１及びＳＭ６２（いずれも不図示）が含まれる。サブメニュ項目ＳＭ６１は「ＹＥＳ」の意思に、サブメニュ項目ＳＭ６２は「ＮＯ」の意思に夫々対応しており、他のサブメニュと同様に、操作入力部３００を介して適宜選択可能となっている。
【０１５６】
メールに送信元の氏名情報を付加させない場合（ステップＳ６０９：ＮＯ）、即ち、サブメニュ項目ＳＭ６２が選択された場合には、処理はステップＳ６１３に移行され、メールが送信される。一方、メールに送信元の氏名情報を付加させるべき旨が指定された場合（ステップＳ６０９：ＹＥＳ）、即ち、サブメニュ項目ＳＭ６１が選択された場合には、識別情報の入力が要求される。識別情報の入力が要求されると、識別情報が入力されたか否かが判定される（ステップＳ６１０）。識別情報が入力されていない間は（ステップＳ６１０：ＮＯ）、処理はステップＳ６１０で待機状態となる。
【０１５７】
識別情報が入力されると（ステップＳ６１０：ＹＥＳ）、入力された識別情報と一致する識別情報が記憶部４００に記憶された識別情報の中に存在するか否かが認証部１７０により検索される。その結果、入力された識別情報と一致する識別情報が存在するか否かが判定される（ステップＳ６１１）。一致する識別情報が存在しない場合（ステップＳ６１１：ＮＯ）、送信元の氏名情報は付加されることなくメールが送信される（ステップＳ６１３）。尚、この際、「認証に失敗しました」や、「一致する識別情報が見当たりません」等、氏名情報の付加が許可されなかった旨を示す情報が、表示制御部１６０の制御により表示されてもよい。
【０１５８】
一方、入力された識別情報と一致する識別情報が存在する場合（ステップＳ６１１：ＹＥＳ）、記憶部４００に記憶された識別情報のうち、入力された識別情報と一致する識別情報に対応する利用者登録情報が特定され、更に、その利用者登録情報から、氏名情報が取得される。そして、作成されたメールにおいて、送信者のアドレスを示す送信者アドレス情報の項目に、この取得された氏名情報が付加される（ステップＳ６１２）。氏名情報が付加されると、ステップＳ６１３により、この氏名情報が付加されたメールが送信される。メール送信処理はこのように実行される。
【０１５９】
尚、ここでは、送信元の氏名情報を付加すべきか否かが確認される構成を示したが、このような確認処理を省略して、入力された識別情報と記憶された識別情報と一致する場合に、該当する共同利用者の氏名情報を自動的に付加する構成としてもよい。
【０１６０】
＜受信ＢＯＸ処理の詳細＞
次に、図１５を参照し、受信ＢＯＸ処理について説明する。ここに、図１５は、受信ＢＯＸ処理のフローチャートである。
【０１６１】
受信ＢＯＸ処理では、二系統の処理が並列的に進行する。一方は復帰に関連する復帰関連処理であり、他方は受信ＢＯＸに保存されたメールの閲覧に関連する閲覧関連処理である。
【０１６２】
復帰関連処理では、先ずメニュ復帰操作の有無が判定される（ステップＳ７０１）。メニュ復帰操作とは、メインメニュへの復帰を促す操作であり、操作入力部３００を介してなされる利用者の操作である。メニュ復帰操作が検出された場合（ステップＳ７０１：ＹＥＳ）、表示制御部１６０によりメインメニュが表示される（ステップＳ７０２）。尚、既にメインメニュが表示されている場合には、画面部２１０の表示内容は変化しない。
【０１６３】
メニュ復帰操作が無い場合（ステップＳ７０１：ＮＯ）、待ち受け復帰操作の有無が判定される（ステップＳ７０３）。待ち受け復帰操作は、画面部２１０に待ち受け画面を表示させる操作であり、操作入力部３００を介してなされる利用者の操作である。待ち受け復帰操作は、言い換えれば、メインメニュＭＭの表示を終了すべき旨の利用者の意思を表す操作である。従って、待ち受け復帰操作が検出された場合（ステップＳ７０３：ＹＥＳ）、受信ＢＯＸ処理は終了する。受信ＢＯＸ処理が終了すると、メインメニュＭＭの表示は終了し、図４においてメニュ関連処理はステップＳ２０３に戻される。待ち受け復帰操作が検出されない場合（ステップＳ７０３：ＮＯ）、処理はステップＳ７０１に戻される。
【０１６４】
一方、閲覧関連処理においては、先ずメインメニュ項目Ｍ５（即ち、受信ＢＯＸに関連するメインメニュ項目）が選択されたか否かが判定される（ステップＳ７０４）。メインメニュ項目Ｍ５が選択されていない場合（ステップＳ７０４：ＮＯ）、処理はステップＳ７０４で待機状態となる。
【０１６５】
メインメニュ項目Ｍ５が選択された場合（ステップＳ７０４：ＹＥＳ）、画面部２１０に受信ＢＯＸの内容が表示される（ステップＳ７０５）。
【０１６６】
受信ＢＯＸが表示されると、受信ＢＯＸに保存されたメール（未読メールも既読メールも含む）の中から、一のメールが選択されたか否かが判定される（ステップＳ７０６）。メールの選択がなされていない場合（ステップＳ７０６：ＮＯ）、処理はステップＳ７０６で待機状態とされる。
【０１６７】
メールが選択された場合（ステップＳ７０６：ＹＥＳ）、選択されたメールに含まれる氏名情報が取得される（ステップＳ７０７）。尚、着信したメールのアドレス及び件名のいずれにも氏名情報が含まれていない場合、後述するように、そのメールは共同利用者の全員が（或いは、共同利用者でなくても）閲覧可能なセキュリティフリーのメールとして扱われる。そのようなセキュリティフリーのメールが選択された場合には、メール表示処理が行われ（ステップＳ７１１）、画面部にメールの内容が表示される。その後、然るべき操作（例えば、メール閲覧終了に関するサブメニュ項目の選択等）がなされると、処理はステップＳ７０５に戻される。
【０１６８】
ステップＳ７０７において、選択されたメールの宛先（アドレスエリアＡａｄｒ）又は件名（件名エリアＡｓｕｂ）に氏名情報が含まれる場合、その氏名情報に該当する共同利用者が記憶部４００に登録されているか否かが判定される（ステップＳ７０８）。一致する共同利用者が存在しない場合（ステップＳ７０８：ＮＯ）、選択されたメールの内容が表示される（ステップＳ７１１）。
【０１６９】
一方、一致する共同利用者が存在する場合（ステップＳ７０８：ＹＥＳ）、識別情報の入力が要求される。識別情報の入力が要求されると、識別情報が入力されたか否かが判定される（ステップＳ７０９）。識別情報が入力されていない間は（ステップＳ７０９：ＮＯ）、処理はステップＳ７０９で待機状態となる。
【０１７０】
識別情報が入力されると（ステップＳ７０９：ＹＥＳ）、この入力された識別情報（即ち、本発明に係る「受信時入力識別情報」の一例）と、記憶部４００に記憶される識別情報のうち、選択されたメールに含まれた氏名情報に対応する識別情報（即ち、本発明に係る「受信識別情報」の一例）とが照合され、相互に一致するか否かが判定される（ステップＳ７１０）。
【０１７１】
入力された識別情報と選択されたメールに対応する識別情報とが一致しない場合（ステップＳ７１０：ＮＯ）、選択されたメールの閲覧は許可されず、メールの内容は非表示のまま処理はステップＳ７０５に戻される。尚、この際、例えば「認証に失敗しました」、「閲覧が許可されません」或いは「貴方宛のメールではありません」等、メールの閲覧が許可されなかった旨を示す情報が、表示制御部１６０の制御により表示されてもよい。
【０１７２】
一方、入力された識別情報と選択されたメールに対応する識別情報とが一致する場合（ステップＳ７１０：ＹＥＳ）、携帯電話機１０の複数の共同利用者のうち、現在携帯電話機１０を利用する一の共同利用者に宛てられたメールであるとの判断の下、画面部２１０に選択されたメールの内容が表示される（ステップＳ７１１）。受信ＢＯＸ処理はこのように実行される。
【０１７３】
＜新着メール受信処理の詳細＞
次に、図１６を参照し、待ち受け処理（ステップＳ８００）を構成する一の処理である、新着メール受信処理について説明する。ここに、図１６は、新着メール受信処理のフローチャートである。
【０１７４】
尚、待ち受け処理には、電話の着信処理や通話処理等、携帯電話機１０が有する各種の機能処理が含まれる。ここでは、これら各種機能処理の一つとして、新着メール受信処理を説明する。このため、新着メール受信処理におけるフローチャート上のステップ番号は、便宜的にＳ８００番台となっている。
【０１７５】
図１６において、先ず新着メールが受信されたか否かが判定される（ステップＳ８０１）。この動作は、受信処理部１１０により行われる。新着メールが無い場合（ステップＳ８０１：ＮＯ）、処理はステップＳ８０１で待機状態となる。
【０１７６】
新着メールが有る場合（ステップＳ８０１：ＹＥＳ）、その時点で設定されている携帯電話機１０の動作モードがユニークユーザモードであるか否かが判定される（ステップＳ８０２）。この動作は、例えば情報取得部１２０の動作として実行される。
【０１７７】
その時点の携帯電話機１０の動作モードがユニークユーザモードである場合（ステップＳ８０２：ＹＥＳ）、情報取得部１２０により、新着メールの宛名がユニークユーザモードにより優先権を付与された優先利用者であるか否かが判定される（ステップＳ８０３）。メールの宛名が優先利用者でない場合（ステップＳ８０３：ＮＯ）、新着メールはその時点の携帯電話機１０の利用者に宛てられたメールではないので、新着メールは、その着信が告知されることなく受信ＢＯＸに保存される（ステップＳ８１２）。
【０１７８】
メールの宛名が優先利用者である場合（ステップＳ８０３：ＹＥＳ）、受信処理部１１０は、例えば上述した着信音設定処理において設定された、優先利用者の着信音パターンを取得し、優先利用者の着信音パターンでメールの着信を告知する（ステップＳ８０６）。
【０１７９】
一方、現在の動作モードがユニークユーザモードでない場合（ステップＳ８０２：ＮＯ）、現在の動作モードがマルチユーザモードであるか否かが判定される（ステップＳ８０４）。現在の動作モードがマルチユーザモードでない場合（ステップＳ８０４：ＮＯ）、即ち、通常モードである場合には、新着メールは、受信ＢＯＸに保存される（ステップＳ８１２）。尚、この場合、着信音設定処理において、通常モード時の着信音パターンが設定されている場合には、当該通常モード時の着信音パターンでメールの着信が告知される。
【０１８０】
現在の動作モードがマルチユーザモードである場合（ステップＳ８０４：ＹＥＳ）、情報取得部１２０により、新着メールの宛名がその時点で登録されている共同利用者のいずれかに該当するか否かが判定される（ステップＳ８０５）。メールの宛名が共同利用者のいずれにも該当しない場合（ステップＳ８０５：ＮＯ）、新着メールは携帯電話機１０の共同利用者に宛てられたメールではないので、新着メールは、その着信が告知されることなく受信ＢＯＸに保存される（ステップＳ８１２）。
【０１８１】
メールの宛名が共同利用者のいずれかに該当する場合（ステップＳ８０５：ＹＥＳ）、受信処理部１１０は、例えば上述した着信音設定処理において設定された、共同利用者の各々に対応する着信音パターンを取得し、その着信音パターンでメールの着信を告知する（ステップＳ８０６）。
【０１８２】
設定された着信音パターンに従ってメールの着信が告知されると、メールの開封操作の有無が判定される（ステップＳ８０７）。メールの開封操作の有無は、例えば入力処理部１５０により判定される。メールの開封操作がない場合（ステップＳ８０７：ＮＯ）、例えば、「ＯＫ」や「完了」等、メールの閲覧を所望しない旨の意思表示に対応付けられたサブメニュ項目等が選択されると、メールは受信ＢＯＸに保存される。
【０１８３】
一方、メールの開封操作がある場合（ステップＳ８０７：ＹＥＳ）、識別情報の入力が要求される（ステップＳ８０８）。識別情報の入力が要求されると、識別情報が入力されたか否かが判定される（ステップＳ８０９）。識別情報が入力されていない間は（ステップＳ８０９：ＮＯ）、処理はステップＳ８０９で待機状態となる。
【０１８４】
識別情報が入力されると（ステップＳ８０９：ＹＥＳ）、この入力された識別情報（即ち、本発明に係る「受信時入力識別情報」の一例）と、記憶部４００に記憶される識別情報のうち、選択されたメールに含まれた氏名情報に対応する識別情報（即ち、本発明に係る「受信識別情報」の一例）とが照合され、相互に一致するか否かが判定される（ステップＳ８１０）。
【０１８５】
入力された識別情報と選択されたメールに対応する識別情報とが一致しない場合（ステップＳ８１０：ＮＯ）、選択されたメールの閲覧（開封）は許可されず、メールの内容は非表示のまま処理はステップＳ８１２に移行され、メールは受信ＢＯＸに保存される。尚、この際、例えば「認証に失敗しました」、「閲覧が許可されません」或いは「貴方宛のメールではありません」等、メールの閲覧が許可されなかった旨を示す情報が、表示制御部１６０の制御により表示されてもよい。
【０１８６】
入力された識別情報と選択されたメールに対応する識別情報とが一致する場合（ステップＳ８１０：ＹＥＳ）、携帯電話機１０の複数の共同利用者のうち現在携帯電話機１０を利用する一の共同利用者が、開封が要求されたメールの宛先に該当するとの判断の下、画面部２１０に選択されたメールの内容が表示される（ステップＳ８１１）。新着メール受信処理はこのように実行される。
【０１８７】
＜起動時制御の詳細＞
次に、図１７を参照し、起動時制御の詳細について説明する。ここに、図１７は、起動時制御のフローチャートである。
【０１８８】
図１７において、表示制御部１６０により、画面部２１０に動作モード切り替え画面が表示される（ステップＳ１０１）。動作モード切り替え画面としては、図１０に例示されたものと同様のものを使用することができる。
【０１８９】
動作モード切り替え画面が表示されると、入力処理部１５０により、動作モードの切り替え操作の有無が判定される（ステップＳ１０２）。動作モードの切り替え操作とは、例えば、図１０における確認用サブメニュＳＭ３におけるサブメニュ項目ＳＭ３１の操作を意味する。
【０１９０】
動作モードの切り替え操作が無い場合（ステップＳ１０２：ＮＯ）、入力処理部１５０により、動作モードの維持操作の有無が判定される（ステップＳ１０４）。動作モードの維持操作とは、動作モードを現状の動作モードから変更しない旨を確定させる操作である。即ち、図１０における確認用サブメニュＳＭ３において、サブメニュ項目ＳＭ３２が選択されたこと等を意味する。動作モードの切り替え操作も、動作モードの維持操作も無い場合（ステップＳ１０４：ＮＯ）、処理はステップＳ１０２に戻される。動作モードの維持操作が検出された場合（ステップＳ１０４：ＹＥＳ）、処理はステップＳ１１１に移行され、選択された動作モードへの動作モードの切り替え（この場合は、維持）が行われる。
【０１９１】
一方、動作モードの切り替え操作が検出された場合（ステップＳ１０２：ＹＥＳ）、動作モードの選択が完了したか否かが判定される（ステップＳ１０３）。即ち、動作モード切り替え用サブメニュＳＭ２における一のサブメニュ項目が選択されたか否かが判定される。動作モードの選択が確定していない場合（ステップＳ１０３：ＮＯ）、処理はステップＳ１０３で待機状態となる。
【０１９２】
動作モードの選択が完了すると（ステップＳ１０３：ＹＥＳ）、選択された動作モードがマルチユーザモードであるか否かが判定される（ステップＳ１０５）。選択された動作モードがマルチユーザモードである場合（ステップＳ１０５：ＹＥＳ）、処理はステップＳ１１１に移行される。
【０１９３】
選択された動作モードがマルチユーザモードでない場合（ステップＳ１０５：ＮＯ）、選択された動作モードがユニークユーザモードであるか否かが判定される（ステップＳ１０６）。選択された動作モードがユニークユーザモードでない場合（ステップＳ１０６：ＮＯ）、即ち、通常モードである場合、処理はステップＳ１１１に移行される。
【０１９４】
選択された動作モードがユニークユーザモードである場合（ステップＳ１０６：ＹＥＳ）、識別情報の入力が要求される（ステップＳ１０７）。その後、係る要求に応じて識別情報が入力されたか否かが判定される（ステップＳ１０８）。識別情報が未入力である場合（ステップＳ１０８：ＮＯ）、処理はステップＳ１０７に戻される。
【０１９５】
識別情報が入力された場合（ステップＳ１０８：ＹＥＳ）、入力された識別情報と一致する識別情報が記憶部４００に記憶された識別情報の中に存在するか否かが認証部により検索される。その結果、入力された識別情報と一致する識別情報が存在するか否かが判定される（ステップＳ１０９）。一致する識別情報が存在しない場合（ステップＳ１０９：ＮＯ）、処理はステップＳ１０７に戻される。尚、この際、「認証に失敗しました」や、「一致する識別情報が見当たりません」等、ユニークユーザモードの選択が許可されなかった旨を示す情報が、表示制御部１６０の制御により表示されてもよい。
【０１９６】
一方、入力された識別情報と一致する識別情報が存在する場合（ステップＳ１０９：ＹＥＳ）、記憶部４００に記憶された識別情報のうち、入力された識別情報と一致する識別情報に対応する利用者登録情報が特定され、更に、その利用者登録情報から、氏名情報が取得される。そして、この取得された氏名情報により特定される一の共同利用者が、メール閲覧に関する優先権者として設定される（ステップＳ１１０）。最後に、選択された動作モードへの切り替えが実行され（ステップＳ１１１）、起動時制御は終了する。
【０１９７】
以上説明したように、本実施例における携帯電話機１０によれば、動作モードとしてマルチユーザモード又はユニークユーザモードが設定されている場合において、氏名情報が付加された新着メールは、付加された氏名情報に対応する共同利用者以外、閲覧することができない。
【０１９８】
従って、一のメールアドレスしか有さぬ携帯電話機１０を複数の共同利用者で共同利用する場合において、メールの秘匿性が担保される。
【０１９９】
また、ユニークユーザモードでは、優先利用者に宛てられたメール以外は、その着信が告知されないから、優先利用者が、自分宛でないメールの着信に煩わされるといった事態が生じない。従って、あたかも個人所有の如き軽快な操作感を得ることができる。
【０２００】
また、メール送信時においても、識別情報が一致した共同利用者のみ、送信メールの送信元の情報として氏名情報が付加される。従って、送信されるメールの出所に信頼性を付与することができる。
【０２０１】
また、着信音設定処理により、共同利用者の各々について個別に着信音を設定することができることから、複数の共同利用者で携帯電話機１０を共同利用する構成としても、自身以外の共同利用者に宛てられたメールについては、逐次確認する必要がない。従って、煩わしさが緩和される。
【０２０２】
尚、本実施例では、着信音設定処理により共同利用者の各々の着信音が個別に設定され得る構成を示したが、共同利用者の各々に秘匿性の高いメール閲覧を可能とする本願の技術思想によれば、例えば、着信音に限らず、メールの表示内容、表示レイアウト、フォントサイズ、フォント種類、背景の表示方法等が共同利用者の各々について個別に設定可能となっていてもよい。このような処理は、着信音設定処理における着信音の項目を他の要素に置き換えれば容易に実現可能である。
【０２０３】
本発明は、上述した実施例に限られるものではなく、請求の範囲及び明細書全体から読み取れる発明の要旨或いは思想に反しない範囲で適宜変更可能であり、そのような変更を伴う携帯型情報端末もまた本発明の技術的範囲に含まれるものである。
【産業上の利用可能性】
【０２０４】
本発明は、携帯電話機等、メールの送受信機能を有する端末に広く利用可能である。
【符号の説明】
【０２０５】
１０…携帯電話機、１００…制御装置、１１０…受信処理部、１２０…情報取得部、１３０…情報保護部、１４０…送信処理部、１５０…入力処理部、１６０…表示制御部、１７０…認証部、２００…表示部、３００…操作入力部、４００…記憶部。
【図１】
2014203254.tif 000003
【図２】
2014203254.tif 000004
【図３】
2014203254.tif 000005
【図４】
2014203254.tif 000006
【図５】
2014203254.tif 000007
【図６】
2014203254.tif 000008
【図７】
2014203254.tif 000009
【図８】
2014203254.tif 000010
【図９】
2014203254.tif 000011
【図１０】
2014203254.tif 000012
【図１１】
2014203254.tif 000013
【図１２】
2014203254.tif 000014
【図１３】
2014203254.tif 000015
【図１４】
2014203254.tif 000016
【図１５】
2014203254.tif 000017
【図１６】
2014203254.tif 000018
【図１７】
2014203254.tif 000019